(57)【要約】【課題】利用者の簡易な操作で、画像を対比可能に重ねて表示させる画像表示装置等を提供する【解決手段】表示制御部１１３は、２以上の画像を表示パネル１３１に表示させる際に、上下に重ねた互いに異なる表示レイヤに各画像を表示させ、上の表示レイヤの画像の透過率を１００％未満の予め定めた正の値にして表示させる。画像処理部１１４は、タッチパネル１３２がユーザのタッチを検出した位置に表示された画像のうち最も上の表示レイヤの画像を特定し、特定した画像がその上に他の画像が表示されていない状態で表示された領域においてユーザが行ったタッチ操作に基づき、特定した画像に対して画像処理を行う。【選択図】図１
2015053040.tif 000002
【特許請求の範囲】
【請求項１】
２以上の画像を記憶する記憶部と、
表示パネルと、
前記記憶部に記憶されている前記２以上の画像を前記表示パネルに表示させる際に、前記２以上の画像を、上下に重ねた互いに異なる表示レイヤにそれぞれ表示させ、上の前記表示レイヤの画像の透過率を１００％未満の予め定めた正の値にして表示させる表示制御部と、
前記表示パネルと重ねて設置され、ユーザのタッチを検出し、検出点の位置を出力するタッチパネルと、
前記表示パネルにおいて、前記タッチパネルがユーザのタッチを検出した位置に表示された画像のうち最も上の前記表示レイヤの画像を特定し、特定した画像がその上に他の画像が表示されていない状態で表示された領域において行ったタッチ操作に基づいて、前記特定した画像に対して、前記表示レイヤの上下関係を変えずに画像処理を行う画像処理部と、を備える、
ことを特徴とする画像表示装置。
【請求項２】
前記タッチパネルでのタッチ操作が、１又は２のタッチ位置の移動であった場合に、
前記画像処理部は、前記タッチ位置の数及び移動方向に応じて、前記特定した画像の移動、拡大、縮小及び回転のいずれか１つの画像処理を行う、
ことを特徴とする請求項１に記載の画像表示装置。
【請求項３】
前記タッチパネルでのタッチ操作が、長押し又は連続タップであった場合に、
前記画像処理部は、前記タッチの連続時間又はタップ回数に応じて、前記特定した画像を左右反転又は固定サイズへの変更の画像処理を行う、
ことを特徴とする請求項１又は２に記載の画像表示装置。
【請求項４】
前記記憶部に記憶した画像の少なくとも一部は、連続する動作を示した一連の静止画像であって、
前記画像処理部は、すべての一連の前記静止画像に対して、前記タッチ操作に基づく前記画像処理を行い、
前記表示制御部は、前記画像処理を行った一連の前記静止画像をコマ送り再生を含む再生を行う、
ことを特徴とする請求項１乃至３のいずれか１項に記載の画像表示装置。
【請求項５】
前記記憶部に記憶した画像の少なくとも一部は、連続する動作を撮影した動画からキャプチャーした複数の静止画像から選択された静止画像であって、
前記画像処理部は、すべての選択された前記静止画像に対して、前記タッチ操作に基づく前記画像処理を行い、
前記表示制御部は、前記画像処理を行った前記静止画像をコマ送り再生を含む再生を行う、
ことを特徴とする請求項１乃至４のいずれか１項に記載の画像表示装置。
【請求項６】
前記表示制御部は、前記２以上の画像を並べて表示させる並列表示状態と、前記２以上の画像を上下に重ねて表示させる重ね表示状態と、を互いに切り替えることを指示する指示ボタンを表示し、前記指示ボタンに対するタッチ操作に基づいて、前記並列表示状態又は前記重ね表示状態に切り替えて前記２以上の画像を表示する、
ことを特徴とする請求項１乃至５のいずれか１項に記載の画像表示装置。
【請求項７】
前記表示制御部は、前記２以上の画像のうち２の画像を並べて表示する並列表示状態において、前記タッチパネルが、前記２の画像がそれぞれ表示されている各領域内の検出点を２点検出した後、前記２点の検出点のうち少なくとも一方が他方に接近する方向に移動したことを検出した場合には、移動した検出点が存する領域に表示された画像を当該検出点の移動方向と略同じ方向に移動し、前記２つの画像の互いに対応する基準点間の距離が所定値以下となった場合に、互いに略同じ位置で前記２つの画像を上下に重ねた互いに異なる前記表示レイヤにそれぞれ表示し、上の前記表示レイヤの画像の透過率を１００％未満の予め定めた正の値にして表示する、
ことを特徴とする請求項１乃至５のいずれか１項に記載の画像表示装置。
【請求項８】
前記表示制御部は、前記並列表示状態において、前記タッチパネルが前記２つの画像がそれぞれ表示されている各領域内の検出点を２点検出した後、前記２点の検出点のうち少なくとも一方が他方に接近する方向に移動したことを検出した場合には、移動した検出点が存する領域に表示された画像を当該検出点の移動方向と略同じ方向に移動し、前記２点の検出点の一方若しくは両方のタッチが解除されたとき、前記２つの画像の互いに対応する基準点間の距離が所定値以下であった場合に互いに略同じ位置で前記２つの画像を上下に重ね合わせ、前記基準点間の距離が所定値を超えていた場合に前記２つの画像を元の位置に戻す、
ことを特徴とする請求項７に記載の画像表示装置。
【請求項９】
前記表示制御部は、前記並列表示状態において、前記タッチパネルが前記２つの画像がそれぞれ表示されている各領域内の検出点を２点検出した後、前記２点の検出点の両方が互いに接近する方向に移動したことを検出した場合には、前記２つの画像を略中央に向かって移動し、前記基準点間の距離が所定値以下となった場合に画面の略中央で重ね合わせて表示する、
ことを特徴とする請求項７又は８に記載の画像表示装置。
【請求項１０】
前記表示制御部は、前記並列表示状態において、前記タッチパネルが前記２つの画像がそれぞれ表示されている各領域内の検出点を２点検出した後、前記２点の検出点のうち一方のみを他方に接近する方向に移動したことを検出した場合には、移動した検出点が存する領域に表示された画像を当該検出点の移動方向と略同じ方向に移動し、移動した画像が上側の前記表示レイヤとなるようにレイヤ設定して、前記基準点間の距離が所定値以下となった場合に他方の画像が表示されている領域で重ね合わせて表示する、
ことを特徴とする請求項７乃至９のいずれか１項に記載の画像表示装置。
【請求項１１】
前記表示制御部は、前記２以上の画像を上下に重ねた互いに異なる前記表示レイヤにそれぞれ表示させているときに、ユーザの操作に基づいて上の前記表示レイヤの画像の透過率を変更する、
ことを特徴とする請求項１乃至１０のいずれか１項に記載の画像表示装置。
【請求項１２】
前記表示制御部は、前記２以上の画像のうちの少なくとも１の画像から比較対象物の画像を抽出し、前記比較対象物の画像の大きさが略同じとなるように、他の画像の大きさを変更する、
ことを特徴とする請求項１乃至１１のいずれか１項に記載の画像表示装置。
【請求項１３】
請求項１乃至１２のいずれか１項に記載の画像表示装置において表示制御部及び画像処理部の処理を実行させるためのプログラム。
【請求項１４】
２以上の画像を記憶する記憶部と、
表示パネルと、
前記表示パネルと重ねて設置され、ユーザのタッチを検出し、検出点の座標を出力するタッチパネルと、を備えた画像表示装置が実行する画像表示方法であって、
前記記憶部に記憶されている前記２以上の画像を前記表示パネルに表示させる際に、前記２以上の画像を、上下に重ねた互いに異なる表示レイヤにそれぞれ表示させ、上の前記表示レイヤの画像の透過率を１００％未満の予め定めた正の値にして表示させる表示ステップと、
前記表示パネルにおいて前記タッチパネルがユーザのタッチを検出した位置に表示された画像のうち最も上の前記表示レイヤの画像を特定し、特定した画像がその上に他の画像が表示されていない状態で表示された領域において行ったタッチ操作に基づいて、前記特定した画像に対して、前記表示レイヤの上下関係を変えずに画像処理を行う画像処理ステップと、を備える、
画像表示方法。
【発明の詳細な説明】
【技術分野】
【０００１】
本発明は、タッチパネルに２以上の画像を表示する画像表示装置、画像表示方法及びプログラムに関する。
【背景技術】
【０００２】
近年、スポーツ競技などの動作を撮影し、撮影動画に基づいて動作を評価する手法が活用されている。また、これらの動作を評価する手法ではスマートフォン、タブレット型端末、ノートパソコンなどの携帯可能な小型の情報端末が使用されることもある。
【０００３】
例えば、指導者と被指導者の運動を撮影した動画からキャプチャーした静止画像を並べて表示させ、これらを比較して評価する方法があった（例えば、特許文献１）。
【０００４】
特許文献１に記載の指導方法においては、実質的に同一場所から、指導者、被指導者の行うスポーツ、演技又は行為等をビデオカメラで撮影し、その撮影画像を同一画面上に表示させ２つの画像を比較検討して両者の違いを被指導者に理解させていた。
【０００５】
動作を評価する際に、並べて表示した場合には、微妙な手足の位置のずれや身体の傾き等までは把握するのは困難であった。これに対して、比較対象の２以上の画像を重ねて比較する方法が考えられる。２以上の画像を重ねる技術は、例えば特許文献２に記載の画像処理技術が知られている。
【０００６】
特許文献２は、ユーザの操作入力に基づいて、画像の領域を指定し、指定された領域における２つの画像の合成比率を、上側の画像の透過率を変化させることにより変更可能にしたと説明している。
【先行技術文献】
【特許文献】
【０００７】
【特許文献１】特開平７−１４４０３８号公報
【特許文献２】特開２０１２−２１３０１９号公報
【発明の概要】
【発明が解決しようとする課題】
【０００８】
運動を評価するシステム等は、老若男女を問わず、様々な人が使用することが想定されるため、簡易な操作で使用できることが望ましい。特に、情報端末の使用に慣れていない人でも直感的な動作で使用できるシステムへの期待が高まっている。
【０００９】
特許文献２等の画像処理方法は、領域の指定、透過率の設定、上下方向における画像の配置の設定等、操作が複雑で、操作方法を把握した人にしか使用できないという問題があった。操作方法の理解が不十分な場合、画像のずれや手本画像等が視認しにくい状態となり、客観的な判断が困難になるという問題もあった。
【００１０】
本発明は、上記実情に鑑みてなされたものであり、利用者の簡易な操作で、画像を対比可能に重ねて表示させる画像表示装置等を提供することを目的とする。
【課題を解決するための手段】
【００１１】
上記目的を達成するため、本発明の第１の観点に係る画像表示装置は、
２以上の画像を記憶する記憶部と、
表示パネルと、
前記記憶部に記憶されている前記２以上の画像を前記表示パネルに表示させる際に、前記２以上の画像を、上下に重ねた互いに異なる表示レイヤにそれぞれ表示させ、上の前記表示レイヤの画像の透過率を１００％未満の予め定めた正の値にして表示させる表示制御部と、
前記表示パネルと重ねて設置され、ユーザのタッチを検出し、検出点の位置を出力するタッチパネルと、
前記表示パネルにおいて、前記タッチパネルがユーザのタッチを検出した位置に表示された画像のうち最も上の前記表示レイヤの画像を特定し、特定した画像がその上に他の画像が表示されていない状態で表示された領域において行ったタッチ操作に基づいて、前記特定した画像に対して、前記表示レイヤの上下関係を変えずに画像処理を行う画像処理部と、を備えることを特徴とする。
【００１２】
前記タッチパネルでのタッチ操作が、１又は２のタッチ位置の移動であった場合に、
前記画像処理部は、前記タッチ位置の数及び移動方向に応じて、前記特定した画像の移動、拡大、縮小及び回転のいずれか１つの画像処理を行うようにしてもよい。
【００１３】
前記タッチパネルでのタッチ操作が、長押し又は連続タップであった場合に、
前記画像処理部は、前記タッチの連続時間又はタップ回数に応じて、前記特定した画像を左右反転又は固定サイズへの変更の画像処理を行うようにしてもよい。
【００１４】
前記記憶部に記憶した画像の少なくとも一部は、連続する動作を示した一連の静止画像であって、
前記画像処理部は、すべての一連の前記静止画像に対して、前記タッチ操作に基づく前記画像処理を行い、
前記表示制御部は、前記画像処理を行った一連の前記静止画像をコマ送り再生を含む再生を行うようにしてもよい。
【００１５】
前記記憶部に記憶した画像の少なくとも一部は、連続する動作を撮影した動画からキャプチャーした複数の静止画像から選択された静止画像であって、
前記画像処理部は、すべての選択された前記静止画像に対して、前記タッチ操作に基づく前記画像処理を行い、
前記表示制御部は、前記画像処理を行った前記静止画像をコマ送り再生を含む再生を行うようにしてもよい。
【００１６】
前記表示制御部は、前記２以上の画像を並べて表示させる並列表示状態と、前記２以上の画像を上下に重ねて表示させる重ね表示状態と、を互いに切り替えることを指示する指示ボタンを表示し、前記指示ボタンに対するタッチ操作に基づいて、前記並列表示状態又は前記重ね表示状態に切り替えて前記２以上の画像を表示するようにしてもよい。
【００１７】
前記表示制御部は、前記２以上の画像のうち２の画像を並べて表示する並列表示状態において、前記タッチパネルが、前記２の画像がそれぞれ表示されている各領域内の検出点を２点検出した後、前記２点の検出点のうち少なくとも一方が他方に接近する方向に移動したことを検出した場合には、移動した検出点が存する領域に表示された画像を当該検出点の移動方向と略同じ方向に移動し、前記２つの画像の互いに対応する基準点間の距離が所定値以下となった場合に、互いに略同じ位置で前記２つの画像を上下に重ねた互いに異なる前記表示レイヤにそれぞれ表示し、上の前記表示レイヤの画像の透過率を１００％未満の予め定めた正の値にして表示するようにしてもよい。
【００１８】
前記表示制御部は、前記並列表示状態において、前記タッチパネルが前記２つの画像がそれぞれ表示されている各領域内の検出点を２点検出した後、前記２点の検出点のうち少なくとも一方が他方に接近する方向に移動したことを検出した場合には、移動した検出点が存する領域に表示された画像を当該検出点の移動方向と略同じ方向に移動し、前記２点の検出点の一方若しくは両方のタッチが解除されたとき、前記２つの画像の互いに対応する基準点間の距離が所定値以下であった場合に互いに略同じ位置で前記２つの画像を上下に重ね合わせ、前記基準点間の距離が所定値を超えていた場合に前記２つの画像を元の位置に戻すようにしてもよい。
【００１９】
前記表示制御部は、前記並列表示状態において、前記タッチパネルが前記２つの画像がそれぞれ表示されている各領域内の検出点を２点検出した後、前記２点の検出点の両方が互いに接近する方向に移動したことを検出した場合には、前記２つの画像を略中央に向かって移動し、前記基準点間の距離が所定値以下となった場合に画面の略中央で重ね合わせて表示するようにしてもよい。
【００２０】
前記表示制御部は、前記並列表示状態において、前記タッチパネルが前記２つの画像がそれぞれ表示されている各領域内の検出点を２点検出した後、前記２点の検出点のうち一方のみを他方に接近する方向に移動したことを検出した場合には、移動した検出点が存する領域に表示された画像を当該検出点の移動方向と略同じ方向に移動し、移動した画像が上側の前記表示レイヤとなるようにレイヤ設定して、前記基準点間の距離が所定値以下となった場合に他方の画像が表示されている領域で重ね合わせて表示するようにしてもよい。
【００２１】
前記表示制御部は、前記２以上の画像を上下に重ねた互いに異なる前記表示レイヤにそれぞれ表示させているときに、ユーザの操作に基づいて上の前記表示レイヤの画像の透過率を変更するようにしてもよい。
【００２２】
前記表示制御部は、前記２以上の画像のうちの少なくとも１の画像から比較対象物の画像を抽出し、前記比較対象物の画像の大きさが略同じとなるように、他の画像の大きさを変更するようにしてもよい。
【００２３】
また、本発明の第２の観点に係るプログラムは、
第１の観点に係る画像表示装置において表示制御部及び画像処理部の処理を実行させることを特徴とする。
【００２４】
また、本発明の第３の観点に画像表示方法は、
２以上の画像を記憶する記憶部と、
表示パネルと、
前記表示パネルと重ねて設置され、ユーザのタッチを検出し、検出点の座標を出力するタッチパネルと、を備えた画像表示装置が実行する画像表示方法であって、
前記記憶部に記憶されている前記２以上の画像を前記表示パネルに表示させる際に、前記２以上の画像を、上下に重ねた互いに異なる表示レイヤにそれぞれ表示させ、上の前記表示レイヤの画像の透過率を１００％未満の予め定めた正の値にして表示させる表示ステップと、
前記表示パネルにおいて前記タッチパネルがユーザのタッチを検出した位置に表示された画像のうち最も上の前記表示レイヤの画像を特定し、特定した画像がその上に他の画像が表示されていない状態で表示された領域において行ったタッチ操作に基づいて、前記特定した画像に対して、前記表示レイヤの上下関係を変えずに画像処理を行う画像処理ステップと、を備えることを特徴とする。
【発明の効果】
【００２５】
本発明によれば、利用者の簡易な操作で、画像を対比可能に重ねて表示させることが可能となる。
【図面の簡単な説明】
【００２６】
【図１】実施形態１に係る画像表示装置の内部構成を示すブロック図である。
【図２】手本画像選択画面を示す図である。
【図３】（ａ）並列表示状態の画面を示す図である。（ｂ）重ね表示状態の画面を示す図である。
【図４】（ａ）並列表示状態の画面を示す図である。（ｂ）重ね表示状態の画面を示す図である。
【図５】（ａ）画像の移動の動作を示す図である。（ｂ）画像のサイズ変更の動作を示す図である。
【図６】（ａ）画像の回転の動作を示す図である。（ｂ）画像の固定サイズへの変更の動作を示す図である。
【図７】比較画像選択画面を示す図である。
【図８】実施形態２に係る画像表示装置の画面を示す図である。（ａ）並列表示状態の画面を示す図である。（ｂ）重ね表示状態の画面を示す図である。
【図９】実施形態２に係る並列表示状態の画面を示す図である。
【図１０】実施形態２に係る表示制御処理を示すフローチャートである。
【図１１】並列表示状態におけるサイズ変更の動作を示す図である。
【図１２】画像の重ね合わせの動作を説明するための図である。（ａ）並列表示状態を示す図である。（ｂ）画像の移動途中を示す図である。（ｃ）重ね表示状態を示す図である。
【図１３】画像の重ね合わせの動作を説明するための図である。（ａ）左側で重ねる場合の動作を示す図である。（ｂ）右側で重ねる場合の動作を示す図である。
【発明を実施するための形態】
【００２７】
（実施形態１）
以下、本発明の実施形態１について図１乃至６を参照して詳細に説明する。
【００２８】
本実施形態に係る画像表示装置１は、２以上の画像を比較するための情報端末である。画像表示装置１は、スマートフォン、タブレット型端末、パソコン等の情報端末から構成される。
【００２９】
画像表示装置１は、図１に示すように、制御部１１、記憶部１２、表示パネル１３１とタッチパネル１３２とからなるタッチスクリーン１３を備える。
【００３０】
記憶部１２は、フラッシュメモリ等の読み書き可能な不揮発性の半導体メモリや、ハードディスク等から構成される。記憶部１２には、２以上の静止画像１２１を含むデータが記憶されている。記憶部１２には、制御部１１で実行する制御プログラムも記憶される。
【００３１】
表示パネル１３１は、例えば、ＬＣＤ（Liquid Crystal Display）等の薄型の表示デバイスから構成され、図形、文字、記号などの情報表示出力を行う。
【００３２】
タッチパネル１３２は、表示パネル１３１に重ねて備えられ、ユーザの操作入力である指やタッチペンによる接触（タッチ）を検出し、検出点（タッチ位置）の座標を出力する位置入力デバイスである。表示パネル１３１に表示されている表示画像の情報に対応した入力を検出する。
【００３３】
タッチパネル１３２は、複数の指等により指定された多点を同時に検出することが可能な投影型静電容量方式等のデバイスである。これにより例えば、２つの検出点が互いに離反するピンチアウト操作や、２つの検出点が互いに接近するピンチイン操作等を判別することができる。
【００３４】
制御部１１は、演算処理装置及び内部メモリ等から構成され、表示パネル１３１に表示される表示画像を生成し、タッチパネル１３２へのユーザ入力に応じて変化させた表示画像を生成する表示制御処理等を行う。
【００３５】
制御部１１は、記憶部１２に記憶されている制御プログラムを実行することにより、検出点座標取得部１１１、画像取得部１１２、表示制御部１１３、画像処理部１１４等の各機能部として機能する。
【００３６】
検出点座標取得部１１１は、タッチパネル１３２が検出したタッチの検出点の座標を取得し、画像取得部１１２、表示制御部１１３、画像処理部１１４に取得した情報を出力する。
【００３７】
画像取得部１１２には、検出点座標取得部１１１から出力される検出点の座標と、表示制御部１１３から出力される、タッチ検出時に表示パネル１３１に表示されている画像の内容と表示位置の情報等が入力される。画像取得部１１２は、入力される検出点の座標と画像の表示位置の情報とに基づいて、記憶部１２から取得する画像と、その取得する画像をどの表示レイヤに表示させるかを決定する。ここでは、画像Ａを第１レイヤに表示させ、画像Ｂを第２レイヤに表示させるように決定する場合について説明する。
【００３８】
例えば、図２に示すマット運動の手本の画像を選択するための手本画像選択画面１１００が表示パネル１３１に表示されている時に、画像取得部１１２は、検出点の座標と画像の表示位置の情報を照会する。照会結果に基づき、一番左の画像Ａが表示されている領域内を１箇所タッチされた後、「手本画像を選択する」のボタンをタッチされたことを判別すると、手本画像を表示させるレイヤとして予め決めていた第１レイヤに手本画像である画像Ａを表示させることを決定する。そして、画像取得部１１２は、記憶部１２から決定された画像Ａを取得して、画像処理部１１４に第１レイヤに表示させる手本画像として画像Ａを出力する。
【００３９】
画像取得部１１２は、同様の手順により、手本画像である画像Ａと比較する対象の画像Ｂを記憶部１２から取得し、画像処理部１１４に第２レイヤに表示する比較画像として画像Ｂを出力する。
【００４０】
画像処理部１１４は、画像取得部１１２が取得した画像に画像処理を施し、表示レイヤの情報とともに表示制御部１１３に出力する。
【００４１】
表示制御部１１３は、画像処理部１１４が出力した画像と表示レイヤの情報に基づいて、表示パネル１３１に表示する表示画像を生成し、表示パネル１３１に出力する。
【００４２】
表示制御部１１３は、まず、図３（ａ）に示すように、第１レイヤの画像Ａと第２レイヤの画像Ｂを、水平方向に並べて配置した基本画面１２００（並列表示状態）の表示画像を生成し、表示パネル１３１に出力する。
【００４３】
基本画面１２００には、画像Ａと画像Ｂを重ねて表示することを指示するためのボタン１２０１が表示されている。表示制御部１１３は、ユーザがボタン１２０１をタッチすると、図３（ｂ）に示すように、画像Ａと画像Ｂを画面の略中央の同じ位置で重ね合わせる（重ね表示状態）。画像を重ね合わせるとき、第１レイヤの画像Ａと第２レイヤの画像Ｂのどちらを上（画面に向かって手前）にするかを予め決定しておいてもよい。
【００４４】
同じ動作を表した画像を重ねることにより、両者の違いを容易に把握することができる。本実施形態では、手本画像である画像Ａと比較する対象の画像Ｂの被写体である人物の体の位置又は形態を容易に比較することができ、画像を視た人は手本の動作に近づくように動作の訓練をすることができる。
【００４５】
２つの画像を重ね合わせる処理は、２つの画像の互いに対応する重ね合わせ基準位置が同じ位置となるように位置合わせすることにより実行する。２つの画像の大きさが同じ場合には、重ね合わせ基準位置を同じ位置にすることで、完全に重ね合わせることができる。重ね合わせ基準位置は、画像Ａと画像Ｂの互いに対応する位置であれば任意の位置でよく、例えば、画像の中心、画像の四隅（左上、右上、左下、右下）のいずれかである。
【００４６】
図３（ｂ）は、予め画像Ａが表示されている第１レイヤを上に表示するように設定されている場合の画面である。上の第１レイヤの画像Ａは予め設定した透過率で表示される。透過率は、図３（ｂ）に示すような透過率を示すコントロールバーや数値入力ボックスに対してユーザが操作入力することにより変更可能である。図３（ｂ）では透過率５０％としている。
【００４７】
２つの画像の重ね合わせは、例えば、第２レイヤの画像Ｂに対して第１レイヤの画像Ａをアルファブレンディングすることにより為される。この時、透過率は、アルファブレンディングする際の重み係数であるα値の百分率で表される。
【００４８】
重ね合わせた画像は、α値が０のとき上の第１レイヤＡの画像Ａがそのまま表示され、α値が１のとき下の第２レイヤＢの画像Ｂがそのまま表示されるが、ここでは、２つの画像を比較することを目的としているため、０＜α＜１とする。つまり、重ね合わせした当初の透過率は、１００％未満の予め設定した正の値となっている。α値が０＜α＜１のときは、下の第２レイヤの画像Ｂの各画素値にα値を乗算した値と、上の第１レイヤの画像Ａの各画素値に（１−α）を乗算した値とを加算（ブレンド）した値が、重ね合わされた画像の各画素値となる。
【００４９】
図３（ｂ）のような２つの画像を重ね合わせた状態（重ね表示状態）から、図３（ａ）に示すような２つの画像を水平方向に並べて配置した状態（並列表示状態）に戻す動作は、図３（ｂ）に示す、「並列表示」ボタンをユーザがタッチすることにより実行される。
【００５０】
ここで、図４（ａ）に示すように、画像Ａ、画像Ｂにおいて、被写体の大きさが大きく異なり、又は、向きが異なり、又は、左右が逆である場合がある。この場合、図４（ｂ）に示すように、２画像を重ねて表示しても、両者の違いを把握しにくい。その場合は、手本画像である画像Ａの被写体の大きさに画像Ｂの被写体の大きさを合わせる等の調整が必要である。
【００５１】
画像Ａと画像Ｂの調整方法について、詳細に説明する。
【００５２】
画像処理部１１４は、まず、タッチパネル１３２がユーザのタッチを検出した位置に表示された画像のうち最も上の表示レイヤの画像を特定する。そして、特定した画像がその上に他の画像が表示されていない状態で表示された領域において行ったタッチ操作に基づいて、特定した画像に対して、表示レイヤの上下関係を変えずに画像処理を行う。
【００５３】
例えば、図５（ａ）のように、画像Ａが表示されている領域をユーザがタッチした場合、画像処理部１１４は、タッチを検出した位置に表示された画像のうちもっとも上の第１レイヤの画像Ａを特定する。そして、特定した画像Ａが表示されている領域において、ユーザがそのタッチ位置をスライドさせたとき、画像処理部１１４は、画像Ａを図５（ａ）のように移動する処理を行う。
【００５４】
画像Ａを移動させると、画像Ｂの上に他の画像が表示されていない領域Ｂ１が出現する。その領域をユーザがタッチした場合、画像処理部１１４は、タッチを検出した位置に表示された画像のうちもっとも上の第２レイヤの画像Ｂを特定する。特定した画像Ｂがその上に他の画像が表示されていない状態で表示された領域（Ｂ１）においてユーザがピンチイン操作を行った場合には、画像処理部１１４は特定した画像Ｂを縮小する処理を行う。また、領域Ｂ１においてピンチアウト操作を行った場合には、特定した画像Ｂを拡大する処理を行う。このとき、画像処理部１１４はレイヤの上下関係を変えず、第２レイヤは第１レイヤの下にある状態のまま画像処理を行う。
【００５５】
これにより、ユーザは直感的な操作により、容易に画像Ｂのサイズを変更することができ、画像Ａと被写体の大きさを比較しながら最適なサイズを選択することができる。
【００５６】
同様に、画像Ｂの上に他の画像が表示されていない領域Ｂ１において、図６（ａ）に示すように、２つのタッチ位置が回転したことを検出したときは、画像処理部１１４は特定した画像Ｂを回転させる。
【００５７】
これにより、画像Ａの被写体に対して、画像Ｂの被写体の向きが回転方向にずれている場合には、ユーザは指を回転させるという直感的な操作により、容易に画像Ｂの向きを変更することができ、画像Ａと被写体の向きを比較しながら最適な向きを選択することができる。
【００５８】
また、画像Ｂの上に他の画像が表示されていない領域Ｂ１において、略同一位置でのタッチ時間が所定時間を超えたとき（長押し操作を検出したとき）は、画像処理部１１４は特定した画像Ｂを左右反転させる。
【００５９】
これにより、画像Ａの被写体に対して、画像Ｂの被写体の向きが左右対称である場合には、ユーザは長押しという簡易な操作により、容易に画像Ｂの向きを変更することができる。つまり、画像Ａの被写体と画像Ｂの被写体の動作の向きが左右反対であった場合でも動作の比較を容易にすることができる。
【００６０】
また、画像Ｂの上に他の画像が表示されていない領域Ｂ１において、図６（ｂ）に示すように、略同じ箇所のタッチが２連続で検出（ダブルタップ）されたときは、画像処理部１１４は特定した画像Ｂを固定サイズ及び向きへ変更する画像処理を行い全画面表示させる。全画面表示させたあと、ダブルタップを検出したときは、もとの位置、サイズ及び向きに戻す。
【００６１】
これにより、下の第２レイヤの画像Ｂを拡大させたい場合には、ユーザはダブルタップ操作により、容易に画像Ｂを拡大して全画面表示にすることができる。
【００６２】
以上説明したように、本実施形態において、表示制御部１１３は、２以上の画像を表示パネル１３１に表示させる際に、上下に重ねた互いに異なる表示レイヤにそれぞれ表示させ、上の表示レイヤの画像の透過率を１００％未満の予め定めた正の値にして表示させる。画像処理部１１４は、タッチパネル１３２がユーザのタッチを検出した位置に表示された画像のうち最も上の表示レイヤの画像を特定し、特定した画像がその上に他の画像が表示されていない状態で表示された領域においてユーザが行ったタッチ操作に基づき、特定した画像に対して画像処理を行うこととした。これにより、画像を重ねて表示した状態において、ユーザの直感的で簡易な操作に基づいて、各画像を最適なサイズ等に変更することができるため、画像の比較を容易にすることができる。
【００６３】
（実施形態２）
以下、本発明の実施形態２について図７、８を参照して詳細に説明する。
【００６４】
本実施形態に係る画像表示装置１は、実施形態１の画像表示装置１と同じ構成を有している。ただし、記憶部１２に記憶されている静止画像１２１は、連続動作を示す複数の静止画像１２１と、連続動作を撮影した動画像を一定時間毎にキャプチャーした複数の静止画像１２１を含んでいる。
【００６５】
制御部１１の画像取得部１１２が取得する画像は、例えば、図７に示す手本と比較する画像を選択するための比較画像選択画面２１００においてユーザが選択した画像である。図７の比較画像選択画面２１００において、予め記憶されていた手本となる連続動作を示す一連の画像Ａが上段２１０１に並べて表示されている。一方、下段２１０３には、連続操作を撮影した動画像を一定時間毎にキャプチャーした静止画像が表示されている。
【００６６】
ユーザは、下段２１０３の静止画像の中から、手本画像である画像Ａが示す動作のタイミングと同じタイミングの画像を選択してタッチした状態で、タッチ位置を中段２１０２の枠内まで移動させる。同様にして各タイミングの画像を選択する。これにより、一連の画像Ａに対応する一連の画像Ｂが比較画像として選択される。
【００６７】
図８（ａ）に示すように、本実施形態の基本画面２２００は、実施形態１と同様に第１レイヤには画面左側に画像Ａが表示され、第２レイヤには画面右側に画像Ｂが表示されている。それぞれのレイヤの画像は、連続動作を示す一連の画像のグループの中の１枚であり、グループ内の他のコマの画像に変更することができる。
【００６８】
ユーザは、図８（ａ）の各画像の下のコントロールバー２２０１を操作することにより、表示させる画像を他のコマの画像に変更することができる。また、再生制御ボタン群２２０２により、画像Ａ、画像Ｂを連続動作の順にコマ送り再生等をすることもできる。
【００６９】
図８（ａ）に示す基本画面２２００には、画像Ａと画像Ｂを重ねて表示することを指示するためのボタン２２０３が表示されている。表示制御部１１３は、ユーザがボタン２２０３をタッチすると、図８（ｂ）に示すように、画像Ａと画像Ｂを画面の略中央の同じ位置で重ね合わせる。画像を重ね合わせるとき、第１レイヤの画像Ａと第２レイヤの画像Ｂのどちらを上（画面に向かって手前）にするかを予め決定しておいてもよい。画像を重ね合わせる方法は、実施形態１と同様である。
【００７０】
図８（ｂ）に示すように、２画像を重ね合わせた状態（重ね表示状態）においても、少なくともいずれか一方の画像を他のタイミングの画像に変更し、又は、コマ送り再生することができる。
【００７１】
タッチパネル１３２が再生制御ボタン群２２０２のボタンをタッチされたことを検出したとき、表示制御部１１３がコマ送り再生等を行う。左右どちらの画像（画像Ａ又は画像Ｂ）のコマ送り再生等を行うかを「右」「左」「両方」のボタンで選択する。そして、右矢印、左矢印のボタンがタッチされたとき再生、逆再生を行う。図８（ｂ）は、両方の画像をコマ送り再生をしている途中を示している。
【００７２】
ここで、実施形態１と同様に、画像処理部１１４は、２つの画像に対してそれぞれユーザのタッチ操作に基づきサイズ変更等の画像処理を行う。
【００７３】
つまり、画像処理部１１４は、タッチパネル１３２がユーザのタッチを検出した位置に表示された画像のうち最も上の表示レイヤの画像を特定する。そして、特定した画像がその上に他の画像が表示されていない状態で表示された領域において行ったタッチ操作に基づいて、特定した画像に対して、表示レイヤの上下関係を変えずに画像処理を行う。
【００７４】
画像処理部１１４が画像Ａ、画像Ｂの少なくともいずれか１方に対して画像処理を行った場合、他の全てのコマの画像に対しても同じ画像処理を行う。そして表示制御部１１３は、サイズ、向き等を変更した状態でコマ送り再生等を行う。これにより、画像Ａと画像Ｂのサイズや向き等を互いに合致させた状態で、コマ送り再生等を行うことができ、動作の流れの違いを把握しやすくなる。
【００７５】
以上説明したように、本実施形態において、表示制御部１１３は、連続動作を示す画像のグループの中の１枚である画像Ａと画像Ｂを、上下に重ねた第１レイヤ及び第２レイヤにそれぞれ表示し、上の第１レイヤの画像の透過率を１００％未満の予め定めた正の値にして表示する。画像処理部１１４は、タッチパネル１３２がユーザのタッチを検出した位置に表示された画像のうち最も上の表示レイヤの画像を特定し、特定した画像がその上に他の画像が表示されていない状態で表示された領域において行ったタッチ操作に基づいて、特定した画像に対して画像処理を行う。そして、他のコマの画像についても同じ画像処理を行い、画像処理後の画像をコマ送り再生等を行うこととした。これにより、画像を重ねて表示させた状態において、ユーザの直感的で簡易な操作に基づき画像を最適なサイズ等に変更してコマ送り再生等をすることができるため、動作の流れを示す画像の比較を容易にすることができる。
【００７６】
（実施形態３）
以下、本発明の実施形態３について図９乃至１３を参照して詳細に説明する。
【００７７】
本実施形態に係る画像表示装置１は、実施形態１の画像表示装置１と同じ構成を有している。ただし、画像Ａと画像Ｂを並列に表示し、また、重ねて表示する際のユーザの操作及び表示制御部１１３の制御が実施形態１と異なる。このときのユーザの操作及び表示制御部１１３の制御について詳細に説明する。
【００７８】
表示制御部１１３は、まず、図９に示すように、第１レイヤの画像Ａと第２レイヤの画像Ｂを、水平方向に並べて配置した基本画面３２００の表示画像を生成し、表示パネル１３１に出力する。
【００７９】
表示制御部１１３は、この基本画面３２００において、検出点座標取得部１１１が取得するタッチパネルへのタッチ位置（検出点）の情報に基づいて、画像Ａと画像Ｂを重ねて表示するなどの表示制御を行う。
【００８０】
画像表示装置１の動作のうち、図９に示す基本画面３２００に対して、タッチパネル１３２にユーザがタッチ操作を行ったときの表示制御部１１３による表示制御処理について、図１０のフローチャートに沿って詳細に説明する。
【００８１】
まず、表示パネル１３１には、画面Ａが第１レイヤの左寄りの位置に表示され、画面Ｂが第２レイヤの右寄りの位置に表示されている基本画面３２００が表示されている。この状態において、制御部１１は、タッチパネル１３２からのタッチ検出信号の入力を監視し（ステップＳ１０１）、検出信号の入力がないときは（ステップＳ１０２：Ｎｏ）監視を継続する。
【００８２】
タッチパネル１３２からタッチ検出信号が入力されたとき（ステップＳ１０２：Ｙｅｓ）、検出点座標取得部１１１は、タッチパネル１３２より検出点の座標を取得する（ステップＳ１０３）。
【００８３】
タッチパネル１３２が検出する検出点の数が１である場合は（ステップＳ１０４：１）、予め設定した検出点数１に対応する処理を実行する（ステップＳ１０５）。検出点数１に対応する処理は、従来の任意の処理でよく、例えば、タッチ操作が画像Ａの領域におけるスワイプであった場合は、画像をスワイプ方向に単純移動する。また、操作ボタンへのワンタッチであった場合には、その操作ボタンに対応させた処理を実行する。
【００８４】
タッチパネル１３２が検出する検出点の数が２である場合は（ステップＳ１０４：２）、その２つの検出点が１つの画像の表示領域内であるか否かを判定し、１つの画像の表示領域内である場合には（ステップＳ１０６：Ｙｅｓ）、検出点がある領域に表示された画像のサイズを変更する処理を行う（ステップＳ１０７）。例えば、図１１に示すように、検出点が画像Ｂ内において２つの検出点が互いに接近するように移動した場合には、画像Ｂのサイズを連続的に小さくする。ここでの検出点の移動方向は、後に説明する画像を重ねる処理との混同を避けるために略水平方向を除外するように定義しても良い。
【００８５】
一方、２つの検出点が１つの画像内でなく、２つの画像それぞれの領域内、つまり、一方が画像Ａ内、他方が画像Ｂ内であった場合（ステップＳ１０６：Ｎｏ）、画像Ａと画像Ｂを、それぞれの検出点の移動方向と同じ方向に移動させる（ステップＳ１０８）。画像の移動方向は略水平方向に限定するようにしてもよい。そして、所定時間後に画像Ａと画像Ｂの互いに対応する基準点間の距離が予め定めた所定値を超えている場合には（ステップＳ１０９：Ｎｏ）、２画像を並列表示した状態に戻す（ステップＳ１１０）。ここで、画像Ａと画像Ｂの基準点は、画像Ａと画像Ｂの互いに対応する位置を示す任意の点であり、例えば、画像の中心、画像の四隅（左上、右上、左下、右下）のいずれかである。
【００８６】
一方、画像Ａと画像Ｂの互いに対応する基準点間の距離が予め定めた所定値以下となった場合には（ステップＳ１０９：Ｙｅｓ）、２つの検出点の両方が同時に移動しているか否かを判定する（ステップＳ１１１）。２つの検出点の両方が移動している場合には（ステップＳ１１１：Ｙｅｓ）、２つの画像を画面の略中央の同じ位置まで移動して２つの画像を重ね合わせる（ステップＳ１１２）。画像を重ね合わせるとき、第１レイヤと第２レイヤのどちらを上（画面に向かって手前）にするかを予め決定しておいてもよい。
【００８７】
２つの画像を重ね合わせる処理は、２つの画像の互いに対応する重ね合わせ基準位置が同じ位置となるように位置合わせすることにより実行する。２つの画像の大きさが同じ場合には、重ね合わせ基準位置を同じ位置にすることで、完全に重ね合わせることができる。重ね合わせ基準位置は、画像Ａと画像Ｂの互いに対応する位置であれば任意の位置であり、例えば、画像の中心、画像の四隅（左上、右上、左下、右下）のいずれかである。また、重ね合わせるか否かを判定するための基準点と同じ位置としても良い。
【００８８】
ステップＳ１１２の動作を図１２（ａ）〜（ｃ）を用いて説明する。図１２（ａ）には、左側に画像Ａ、右側に画像Ｂが互いに接するように水平方向に並べて表示されている基本画面３２００を示している（並列表示状態）。基本画面３２００において、ユーザは２本の指でそれぞれの画像内をタッチする。このときタッチする位置は略水平方向に並んでいる。その後、図１２（ｂ）のように互いに接近するように指を略水平方向に動かす。それに伴い、画像Ａが右側に寄り、画像Ｂが左側に寄る。この時の指の動作は「ピンチイン」と呼ばれる動作である。
【００８９】
そして、画像Ａと画像Ｂの移動により各画像の基準点間の距離が所定値以下となった場合には、図１２（ｃ）のように、画面の略中央の同じ位置で２つの画像を重ねて表示する。ここでは、予め画像Ａが表示されている第１レイヤを上に表示するように設定されているとする。また、上の第１レイヤの画像Ａを予め設定した透過率で表示する。図１２（ｃ）では透過率５０％としている。
【００９０】
ステップＳ１１２での画像の重ね合わせは、実施形態１と同様である。透過率は、重ね表示された後は、図１２（ｃ）に示すような、透過率を示すコントロールバーや数値入力ボックスに対してユーザが操作入力することにより変更可能である。
【００９１】
ステップＳ１１１で、２つの検出点が同時に移動しておらず（ステップＳ１１１：Ｎｏ）、１つの検出点が略固定され、他方の検出点のみが移動している場合には、移動している側の検出点が存する領域の画像のレイヤを上に変更し（ステップＳ１１３）、略固定している側の検出点が存する領域で、２つの画像を重ね合わせる（ステップＳ１１４）。
【００９２】
ステップＳ１１３、Ｓ１１４の動作を、図１２、図１３を用いて説明する。図１２（ａ）のような基本画面３２００において、ユーザは２本の指でそれぞれの画像内をタッチする。このときタッチする位置は略水平方向に並んでいる。図１３（ａ）のように第２レイヤの右側の画像Ｂをタッチしている指のみを動かした場合、２つの検出点のうち右側の点のみが左に移動する。このとき、第２レイヤを上側（画面に向かって手前）に変更し、画像Ｂを左へ移動するように表示制御する。
【００９３】
そして、画像Ｂの移動により各画像の基準点間の距離が所定値以下となった場合には、検出点が略固定されていた第１レイヤの画像Ａがあった左側の領域で、２つの画像を重ね合わせて表示する。このとき画像Ｂの透過率は、ステップＳ１１２の時と同様に、１００％未満の予め定めた正の値であるが、重ね合わせ表示した後は、ユーザの操作に基づいて変更可能である。
【００９４】
一方、基本画面３２００において、ユーザが２本の指でそれぞれの画像内をタッチした後、図１３（ｂ）のように左側の第１レイヤの画像Ａをタッチしている指のみを動かした場合、２つの検出点のうち左側の点のみが右に移動する。このとき、第１レイヤを上側（画面に向かって手前）に変更し、画像Ａが右へ移動するように表示制御する。そして、画像Ａの移動により各画像の基準点間の距離が所定値以下となった場合には、検出点が略固定していた第２レイヤの画像Ｂがあった右側の領域で、２つの画像を重ね合わせて表示する。このとき画像Ａの透過率は、ステップＳ１１２の時と同様に、１００％未満の予め定めた値であるが、重ね合わせ表示した後は、ユーザの操作に基づいて変更可能である。
【００９５】
ここで、ステップＳ１１２、１１４で２枚の画像を重ね合わせた表示となった状態（重ね表示状態）で、改めてタッチパネル１３２への入力が検出された場合、画像へのタッチ入力に基づいて、様々な表示制御を行う。
【００９６】
画像Ａと画像Ｂを重ねた重ね表示状態における動作は実施形態１、２と同様である。画像処理部１１４は、重ね表示状態において、タッチパネル１３２がユーザのタッチを検出した位置に表示された画像のうち最も上の表示レイヤの画像を特定する。そして、特定した画像がその上に他の画像が表示されていない状態で表示された領域において行ったタッチ操作に基づいて、特定した画像に対して、表示レイヤの上下関係を変えずに画像処理を行う。
【００９７】
重ね表示状態から並列表示状態に戻す操作は、水平方向のピンチアウト操作に基づいて行ってもよい。あるいは、「並列表示」ボタンを表示しそれがタッチされることで並列表示状態に戻してもよい。
【００９８】
以上説明したように、本実施形態において、画像Ａと画像Ｂを左右に並べて表示した基本画面３２００において、タッチパネル１３２が、画像Ａと画像Ｂが表示されている領域を同時にタッチしたことを検出した後、２つの検出点のうち少なくとも一方が他方に接近する方向に移動したことを検出した場合、画像Ａ又は画像Ｂを移動させ、各画像の互いに対応する基準点間の距離が所定値以下となったときに、２つの画像を互いに略同じ位置で、上の画像を透過させた状態で２つの画像を重ね合わせる表示制御を行うこととした。これにより、２つの指で２つの画像をタッチした後互いに接近させるという直感的かつ簡易的な操作で、容易に２つの画像を重ねることができ客観的な画像比較が可能となる。
【００９９】
このように本発明は、２以上の画像を表示パネルに表示させる際に、２以上の画像を上下に重ねた互いに異なる表示レイヤにそれぞれ表示させ、上の表示レイヤの画像の透過率を１００％未満の予め定めた正の値にして表示させる。そして、表示パネルにおいて、タッチパネルがユーザのタッチを検出した位置に表示された画像のうち最も上の表示レイヤの画像を特定し、特定した画像がその上に他の画像が表示されていない状態で表示された領域において行ったタッチ操作に基づき、特定した画像に対して、表示レイヤの上下関係を変えずに画像処理を行うこととした。これにより、ユーザの簡易な操作で、画像を対比可能に重ねて表示させることができる。
【０１００】
なお、本発明は、上記実施形態に限定されず、本発明の要旨を逸脱しない範囲での種々の変更は勿論可能である。
【０１０１】
例えば、上記実施形態では、２つの画像Ａと画像Ｂを並列表示、重ね表示した状態について説明したが、３以上の画像を並列表示、重ね表示させてもよい。タッチパネル１３２がユーザのタッチを検出した位置に表示された３以上の画像のうち最も上の表示レイヤの画像を特定し、特定した画像がその上に他の画像が表示されていない状態で表示された領域において行ったタッチ操作に基づき、特定した画像に対して、表示レイヤの上下関係を変えずに画像処理を行うようにしてもよい。また、並列表示状態の画像配列方向は、水平方向に限らず、上下方向などその他の方向で並列表示させる形態であってよい。３以上の画像を並列表示する場合は、３以上に画面分割してそれぞれの領域に画像を表示させるようにしてもよい。
【０１０２】
また、上記実施形態では、説明を簡略化するために静止画像の場合について説明したが、２以上の画像のうち、少なくとも１つを動画像としてもよい。例えば、基本画面１２００、２２００、３２００において、２つの画像を重ね合わせた状態で動画像を動画再生等する表示制御を行ってもよい。このとき、画像処理部１１４は、動画像の全てのフレーム画像に対して画像処理を行う。これにより、２以上の画像を最適な状態で重ねた表示のまま、再生動画を視ることができる。
【０１０３】
また、２以上の画像のうち１つが撮影中の撮影画像（動画）である場合も、上記実施形態と同様の操作により２以上の画像を重ねた表示で画像処理を行っても良い。例えば、撮影中の動画像に手本の画像を重ねて表示することで、手本の画像と同じような位置範囲で撮影を行うことができ、手本画像に対する比較画像としての撮影が良好に行えるという効果がある。
【０１０４】
また、画像Ａと画像Ｂを重ね合わせた重ね表示状態において、画像Ａと画像Ｂのいずれか一方から比較対象物を抽出し、抽出した対象物が他方における対象物の大きさと略一致するように、画像Ａ又は画像Ｂの大きさを自動変更させても良い。これにより、画像Ａと画像Ｂの対象物の比較がより容易になる。
【０１０５】
また、画像Ａと画像Ｂを重ね合わせる際に、透過率であるα値の範囲を０＜α＜１としたが、重ね合わせた画像を表示した状態で、α値を０又は１（０％又は１００％）にも設定可能なように構成しても良い。
【０１０６】
また、実施形態３において、２つの画像を重ね合わせる際、重ね合わせ基準位置が同じ位置になるように位置合わせを行うとしたが、これに替えて、２つのタッチ検出点が重なるように位置あわせをしてもよい。例えば、２つの画像内の人物の頭部をそれぞれタッチした場合には、頭部が重なるように位置合わせすることができる。また、１つの検出点が移動する場合には、移動する検出点が示す画像の所定位置が、移動先の検出点が示す他方の画像の所定位置に重なるようにしてもよい。例えば、一方の画像内の人物の頭部をタッチ（ドラッグ）して移動し、他方の画像内の人物の頭部位置でタッチ解除（ドロップ）した場合、頭部が重なるように位置合わせすることができる。
【０１０７】
また、実施形態３において、画像の基準点間距離が所定値以下であるか否かに応じて、画像を重ね合わせるか、元の並列に配置した表示に戻すかを選択するとしたが、基準点間距離の判定は、タッチ検出が解除されたとき、つまり、ユーザが指をタッチパネルから離したときに行うようにしても良い。すなわち、タッチ検出が継続している間は、検出点の移動に沿って画像を移動させ、タッチ検出が解除されると、そのときの基準点間距離が所定値以下の場合には２つの画像を重ね合わせ、所定値を超えるときは２つの画像を元の並べて配置した表示に戻すようにしてもよい。あるいは、単にタッチ検出点が互いに近づく方向に所定値以上移動したときに、画像を重ね合わせるようにしてもよい。
【０１０８】
また、図１０のフローチャートのステップＳ１１４において、２つの検出点のうち一方が移動し他方が固定されていたときに固定点側に重ね合わせるとしたが、この操作に代えて、移動側の画像領域においてタッチの検出が約１秒以上継続した後に（タッチアンドホールド）、検出点が他方の画像領域まで移動する場合に、タッチアンドホールドした側の画像を他方に重ね合わせるようにしてもよい。
【０１０９】
また、実施形態３について、３以上の画像を表示する場合は、それぞれの領域に対して検出点の検出を行うことで、２つの画像の時と同様の概念を適用することができる。例えば、３以上の検出点を同時検出して、３以上の検出点の移動方向が互いに近づく方向であった場合には、３以上の画像を移動させ、３以上の画像の互いに対応する基準点間の距離が所定値以下となった場合に、３以上の画像を重ね合わせるようにしてもよい。
【０１１０】
また、上記実施形態の制御部１１が実行した処理のプログラムを、既存のスマートフォンやタブレット端末等の情報端末に適用することで、当該端末を本発明に係る画像表示装置１として機能させることも可能である。
【０１１１】
このようなプログラム及び必要な情報（プログラムとは別の手本画像Ａなどの配布可能な各種情報）の配布方法は任意であり、例えば、ＣＤ−ＲＯＭ（Compact Disc Read-Only Memory）、ＤＶＤ（Digital Versatile Disc）、ＭＯ（Magneto Optical Disc）、メモリカード等のコンピュータ読み取り可能な記録媒体に格納して配布してもよいし、携帯電話網やインターネット等の通信ネットワークを介して配布してもよい。
【符号の説明】
【０１１２】
１…画像表示装置
１１…制御部
１１１…検出点座標取得部
１１２…画像取得部
１１３…表示制御部
１１４…画像処理部
１２…記憶部
１２１…静止画像
１３…タッチスクリーン
１３１…表示パネル
１３２…タッチパネル
１１００…手本画像選択画面
１２００，２２００，３２００…基本画面
１２０１…ボタン
２１００…比較画像選択画面
２１０１…上段
２１０２…中段
２１０３…下段
２２０１…コントロールバー
２２０２…再生制御ボタン群
２２０３…ボタン
【図１】
2015053040.tif 000003
【図３】
2015053040.tif 000004
【図４】
2015053040.tif 000005
【図５】
2015053040.tif 000006
【図６】
2015053040.tif 000007
【図８】
2015053040.tif 000008
【図９】
2015053040.tif 000009
【図１０】
2015053040.tif 000010
【図１１】
2015053040.tif 000011
【図１２】
2015053040.tif 000012
【図１３】
2015053040.tif 000013
【図２】
2015053040.tif 000014
【図７】
2015053040.tif 000015